(57)【要約】【課題】店舗の入口を狭めたり商品の陳列スペースを削減したりすることがないなど、店舗のスペース効率に優れ、また商品の陳列、客や店員の往来に何ら支障なく、客が間近に商品情報を視聴することのできる商品説明用モニターの提供。【解決手段】商品情報を出力するモニター１０がパンタグラフ式のモニターアーム２０、モニターアームの基台となるモニターベース３０を介して、店舗内の任意の壁面Ｗに当該壁面Ｗから引き出し可能に装着される。【選択図】図１
0003139707.tif 000002
【実用新案登録請求の範囲】
【請求項１】
商品の説明に必要な画像情報及び音声情報を出力するモニターと、
前記モニターを支持する伸縮式のモニターアーム、及び前記モニターアームを店舗の壁面に取付け固定するためのモニターベースとを備え、
前記モニターを店舗内の任意の壁面に、当該壁面から引き出し可能に装着することを特徴とする商品説明用モニター。
【請求項２】
モニターアームはパンタグラフ式のアーム、多関節式のアームから任意に選択される請求項１に記載の商品説明用モニター。
【考案の詳細な説明】
【技術分野】
【０００１】
本考案は、商品の宣伝、販売に使用する商品説明用モニターに関する。
【背景技術】
【０００２】
従来、各種の商品を販売する店舗では、新商品や個別商品を宣伝、販売するために、店頭や店内にテレビとビデオデッキを設置し、ビデオテープを使用して、商品の説明を行っている。このビデオの映像と音声を用いた商品の説明により、商品の特徴や効果などの商品情報を正確に分かりやすく提供することができ、客の商品に対する関心、購買意欲を誘引するなど、商品の宣伝効果を上げ、販売を促進することができる。この種の手法が特許文献１に記載されている。
【０００３】
【特許文献１】実用新案登録第３０１４９７９号公報
【考案の開示】
【考案が解決しようとする課題】
【０００４】
しかしながら、各店舗で、上記のようにビデオを用いて商品の説明を行おうとすると、店頭や店内（の床）に台を置いてその上にテレビを設置せざるを得ず、このため、店舗の入口が狭められたり、商品の陳列スペースが削減されたりするなど、店舗のスペース効率が悪く、また、テレビの商品情報は店頭又は店内で客が間近に見える場所に設置されることが好ましいが、同時にテレビが商品の陳列に支障なく、さらに客や店員の往来に邪魔にならないところを確保することはきわめて難しい、という問題がある。
【０００５】
本考案は、このような課題を解決するもので、店舗の入口を狭めたり商品の陳列スペースを削減したりすることがないなど、店舗のスペース効率に優れ、また商品の陳列、客や店員の往来に何ら支障なく、客が間近に商品情報を視聴することのできる商品説明用モニターを提供すること、を目的とする。
【課題を解決するための手段】
【０００６】
上記目的を達成するために、本考案による商品説明用モニターは、商品の説明に必要な画像情報及び音声情報を出力するモニターと、前記モニターを支持する伸縮式のモニターアーム、及び前記モニターアームを店舗の壁面に取付け固定するためのモニターベースとを備え、前記モニターを店舗内の任意の壁面に、当該壁面から引き出し可能に装着することを要旨とする。この場合、モニターアームはパンタグラフ式のアーム、多関節式のアームから任意に選択される。
【考案の効果】
【０００７】
本考案の商品説明用モニターは、上記の構成により、モニターがモニターアーム、モニターベースを介して、店舗内の任意の壁面に当該壁面から引き出し可能に装着されるので、店舗の入口を狭められたり商品の陳列スペースを削減したりすることがないなど、店舗のスペース効率に優れ、また商品の陳列、客や店員の往来に何ら支障なく、客が間近に商品情報を視聴することができる、という効果を奏する。
【考案を実施するための最良の形態】
【０００８】
以下、本考案の一実施の形態について図を用いて説明する。図１に示すように、商品説明用モニター１は、商品の説明に必要な画像情報及び音声情報を出力する薄型のモニター１０と、このモニター１０を支持する伸縮式のモニターアーム２０、及びモニターアーム２０を店舗の壁面Ｗに取付け固定するためのモニターベース３０とを備える。
【０００９】
モニター１０はパソコン本体にケーブルを介して接続され、パソコン本体でＣＤ−ＲＯＭなどに記録された商品の説明に必要な画像、動画などの画像データや、ナレーション、音楽などの音声データが再生されて、このモニター１０から画像情報及び音声情報を出力するようになっている。
【００１０】
モニターアーム２０はパンタグラフ式のアームが採用されている。このパンタグラフ式のアーム２０は複数の一対のＸ形のパンタグラフ２１が枢支ピン２２を介して連結されるとともに、先端部及び基端部の各パンタグラフ２１にばね部材が介在され、又は各パンタグラフ２１の各連結部分に皿ばね、座金などが介在されるなど、ばね力又は摩擦抵抗を利用したロック手段が併設されて、各パンタグラフ２１が折り畳まれて重合された状態から延び切るまでの範囲で、任意の位置に伸縮可能に構成される。このモニターアーム２０の先端に既述のモニター１０がヒンジ部材２３を介して上下左右方向に揺動可能に取り付けられる。また、モニターアーム２０の後端はモニターベース３０に連結される。このモニターベース３０はモニターアーム２０を伸縮可能に支持するための基台として構成され、壁面Ｗにボルトにより固着されるようになっている。
【００１１】
このようにして商品説明用モニター１はモニター１０がモニターアーム２０、モニターベース３０を介して店舗内の任意の壁面Ｗに当該壁面Ｗから引き出し可能に装着される。この商品説明用モニター１の具体的な使い方は次のとおりである。図１に示すように、この商品説明用モニター１は店頭付近の壁面Ｗや店内の壁面Ｗに取り付けられ、モニター１０の不使用時は、図１中、２点鎖線で示すように、モニターアーム２０が折り畳まれて、モニター１０が壁面Ｗに沿って固定される。したがって、このモニター１０の場合、店頭や店内の床に台を置いてその上に設置するのと異なり、店舗の入口を狭めたり商品の陳列スペースを削減したりすることがなく、客や店員の往来に何ら支障がない。この商品説明用モニター１を使用するときは、モニター１０を壁Ｗから引き出せばよい。この場合、モニター１０を手で手前に引き寄せれば、モニターアーム２０が延びて、モニター１０は店頭付近又は店内の壁面Ｗから店頭付近又は店内の空間に平面スペースを犠牲にすることなしに置かれる。このとき、モニターアーム２０の伸ばす長さを調整することで、客、店員の往来に邪魔にならない位置に置くことができ、また、客の要望により、客がモニター１０を間近で見られるように客の往来する通路まで突出して置くこともできる。そして必要に応じて、モニター１０の向きを上下左右に調整して、客の見やすい向きに固定する。なお、モニター１０の位置が邪魔になるようなときは、必要に応じて、モニター１０を押し戻して、モニターアーム２０を収縮し、長さを調整すればよい。また、モニター１０の使用を終了又は中止するときは、モニター１０を壁面Ｗに向けて押し戻し、モニターアーム２０を折り畳んで、壁面Ｗに固定する。
【００１２】
以上説明したように、この商品説明用モニター１では、商品情報を出力するモニター１０をモニターアーム２０、モニターベース３０を介して、店舗内の任意の壁面Ｗに当該壁面Ｗから引き出し可能に装着するので、店舗の入口を狭めたり商品の陳列スペースを削減したりすることがないなど、店舗のスペース効率に優れ、また商品の陳列、客や店員の往来に何ら支障なく、客が間近に商品情報を視聴することもできる。
【００１３】
なお、上記実施の形態では、モニターアーム２０にパンタグラフ式のアームが採用されているが、パンタグラフ式のアームに代えて、図２に示すように、多関節式のアームが採用されてもよい。この多関節式のアームの場合、複数のアーム２４が複数の関節部２５を介して連結され、各関節部２５に皿ばね、座金などの摩擦抵抗を利用したロック手段が介在されて、複数のアーム２４が折り畳まれて重合された状態から延びきるまでの範囲で、任意の位置に伸縮可能に構成される。このようにしても上記実施の形態と同様の作用効果を奏することができる。
【図面の簡単な説明】
【００１４】
【図１】本考案の一実施の形態を示す側面図
【図２】本考案の他の実施の形態を示す側面図
【符号の説明】
【００１５】
１  商品説明用モニター
１０  モニター
２０  モニターアーム
２１  パンタグラフ
２２  枢支ピン
２３  ヒンジ部材
２４  アーム
２５  関節部
３０  モニターベース
Ｗ  壁面
【図１】
0003139707.tif 000003
【図２】
0003139707.tif 000004